(57)【要約】【課題】  長期使用によっても脱落しにくい点字ピンとこれを用いた点字盤を提供する。【解決手段】  支持板１に設けた挿入孔１１に挿入されて点字を形成する点字ピン３およびこれを用いた点字盤Ａであって、点字ピン３は、点字を形成するための頭部３１と、支持板１の挿入孔１１に挿入される挿入部３２とを有し、挿入部３２の少なくとも一部に、挿入孔１１の内周面に圧接する雄ねじ３３が形成されている。【選択図】  図４
2005283757.tif 000002
【特許請求の範囲】
【請求項１】
支持板に設けた挿入孔に挿入されて、点字を形成する点字ピンであって、
点字を形成するための頭部と、前記挿入孔に挿入される挿入部とを有し、
前記挿入部の少なくとも一部に、前記挿入孔の内周面に圧接する雄ねじが形成されている点字ピン。
【請求項２】
請求項1 に記載の点字ピンと、その挿入部を挿入させる挿入孔とを有する支持板とを備え、
前記挿入孔の内径が前記挿入部の雄ねじの谷径よりも大きく、山径よりも小さく設定されている点字盤。
【発明の詳細な説明】
【技術分野】
【０００１】
本発明は、視覚障害者用の案内表示に使用され、例えばエレベータの操作盤などとして使用される点字ピンおよびこれを用いた点字盤に関するものである。
【背景技術】
【０００２】
視覚障害者用の点字盤として、鋲からなる点字ピンを用いたものがある( 特許文献1)。この点字ピンは、点字を形成する丸みを帯びた頭部と、これから一体に延びるストレートな軸部とを有し、この軸部を点字盤に設けた挿入孔に押し込んで固定する。
【特許文献１】特開２００１−１６６６８２号公報( 図４および全文)
【発明の開示】
【発明が解決しようとする課題】
【０００３】
しかし、上記点字盤は、点字ピンのストレートな軸部を挿入孔に押し込んで固定するため、長期使用に伴い振動などによって点字ピンが脱落したりすることがあった。この点字ピンの脱落を防止するため、前記挿入孔の回りを裏面から皿もみ加工し、この部分に接着剤を塗布して点字ピンの固定力を高めることが行われているが、この方法によっても十分な効果は得られにくい。
【０００４】
そこで、本発明は、長期使用によっても脱落しにくい点字ピンとこれを用いた点字盤を提供することを目的とする。
【課題を解決するための手段】
【０００５】
上記目的を達成するために、本発明は、支持板に設けた挿入孔に挿入されて点字を形成する点字ピンであって、点字を形成するための頭部と、前記挿入孔に挿入される挿入部とを有し、前記挿入部の少なくとも一部に、前記挿入孔の内周面に圧接する雄ねじが形成されている。
【０００６】
この点字ピンは、支持板に取り付けるとき、挿入部の少なくとも一部に形成された雄ねじが支持板の挿入孔へと押し込まれる。このとき、雄ねじの一部が変形して挿入孔の内周面に圧接し、挿入孔にカシメ状態で固定されるので、点字ピンは長期使用によっても脱落しにくくなる。
【０００７】
また、本発明の点字盤は、請求項1 に記載の点字ピンと、その挿入部を挿入させる挿入孔とを有する支持板とを備え、前記挿入孔の内径が前記挿入部の雄ねじの谷径よりも大きく、山径よりも小さく設定されている。
【０００８】
この点字盤によれば、点字ピンを支持板の挿入孔に押し込むとき、点字ピンの挿入部に形成した雄ねじの山径の部分が、これよりも小径に設定された支持板の挿入孔によって変形されながら押し込まれる。このとき、雄ねじの山径の部分が変形してカシメ状態で固定されるので、長期使用による点字ピンの支持板からの脱落が起こりにくくなる。
【発明の効果】
【０００９】
本発明によれば、長期使用による点字ピンの支持板からの脱落を抑制することができる。
【発明を実施するための最良の形態】
【００１０】
以下、本発明にかかる点字盤の一実施形態を図面に基づいて説明する。
図１は本発明にかかる点字盤の適用例としてエレベータの操作盤を示す正面図である。この操作盤Ａは、支持板１に複数の階数指示用の操作ボタン２，２が設けられている。各操作ボタン２の側部には、点字盤である複数の点字ピン３を有する視覚障害者用の案内表示部Ｂが設けられている。
【００１１】
図２は、図１のII−II線方向から見た前記点字ピン３の支持板１への取り付け状態を示
す拡大断面図である。この支持板１には、複数の挿入孔１１が形成され、この挿入孔１１に前記ピン３が固定されている。挿入孔１１の内周面はストレートな円筒面である。
【００１２】
図３は前記ピン３の平面図、図４はピン全体を示す正面図である。この点字ピン３は、ステンレスまたはアルミニウムのような金属材料からなり、点字を形成する半球面形の頭部３１と、これから一体に延びて前記支持板１の挿入孔１１に挿入される挿入部３２とを有し、この挿入部３２に３本の螺旋条３３ａからなるスクリュー形の雄ねじ３３が形成されている。また、前記支持板１は、同じくステンレスまたはアルミニウムのような金属材料からなり、これに形成される挿入孔１１は、図４のように、点字ピン３に形成する雄ねじ３３の螺旋条３３ａの谷径をＤ１とし、山径をＤ２としたとき、挿入孔１１の内径Ｄ０が、Ｄ１＜Ｄ０＜Ｄ２となるように設定されている。例えば、前記雄ねじ３３の山径Ｄ２は１．００〜１．０６ｍｍ、谷径Ｄ１は０．８５ｍｍとされ、挿入孔１１の内径Ｄ０は０．９０ｍｍ程度とされる。このように設定して点字ピン３を支持板１の挿入孔１１に押し込むことにより、点字ピン３の挿入部３２に形成した雄ねじ３３の螺旋条３３ａの山径部分が押しつぶされるように変形して、挿入孔１１の内周面に圧接することで、点字ピン３が挿入孔１１にカシメ状態で固定される。
【００１３】
また、前記雄ねじ３３の螺旋条３３ａのピッチＰは１〜２ｍｍとされ、好ましくは１．３〜１．７ｍｍとされる。ピッチＰが、１．０ｍｍ未満の場合は、雄ねじ３３の変形による挿入孔１１に対する固定力は大きくなるが、雄ねじ３３を挿入孔１１に押し込みにくくなる。一方、２．０ｍｍを越えると、雄ねじ３３を挿入孔１１に押し込み易くなるが、雄ねじ３３の変形による挿入孔１１への固定力が小さくなる。なお、この実施形態では、雄ねじ３３を挿入部３２における挿入孔１１の長さ方向全体に対応する部分に形成したが、挿入部３２における挿入孔１１の長さ方向の一部分に接触する部分のみに雄ねじ３３を形成してもよい。また、挿入部３２の全体にわたって雄ねじ３３を形成してもよい。
【００１４】
エレベータの操作盤Ａに視覚障害者用の案内表示部Ｂを形成するときには、先ず支持板１に点字ピン用の複数の挿入孔１１を穴あけ加工する。この後、挿入孔１１に点字ピン３を強く押し込む。これにより、点字ピン３に形成された雄ねじ３３が挿入孔１１の内周面に圧接される。このとき、雄ねじ３３の山部のみが挿入孔１１の内周面に圧接するから、圧接面圧が大きくなるので、点字ピン３が挿入孔１１にカシメ状態で強固に固定される。これによって、点字ピン３の長期使用による脱落が効果的に抑制される。
【図面の簡単な説明】
【００１５】
【図１】本発明の一実施形態に係る点字盤であるエレベータの操作盤を示す正面図である。
【図２】図１のII−II線に沿った拡大断面図である。
【図３】同実施形態の点字ピンを示す平面図である。
【図４】同点字ピンを示す正面図である。
【符号の説明】
【００１６】
１  支持板
１１  挿入孔
３    点字ピン
３１  頭部
３２  挿入部
３３  雄ねじ
Ｄ０  挿入孔の内径
Ｄ１  雄ねじの谷径
Ｄ２  雄ねじの山径
Ａ    操作盤（点字盤）
【図１】
2005283757.tif 000003
【図２】
2005283757.tif 000004
【図３】
2005283757.tif 000005
【図４】
2005283757.tif 000006